(57)【要約】【課題】実際に接続可能な無線機器に対応する複数の無線通信モードを確認することができ、その中から任意の無線通信モードを選択することができる電子装置および無線機器確認方法を提供すること。【解決手段】車載装置１は、複数の無線通信モードで無線機器と接続可能であり、複数の無線通信モードのそれぞれについて接続可能な無線機器を検索する無線機器検索部６１と、接続可能な無線機器の存在が無線機器検索部６１によって確認された無線通信モードを表示する無線通信モード表示処理部６２、表示処理部２０、表示装置２２とを備えている。【選択図】図１
2015126450.tif 000002
【特許請求の範囲】
【請求項１】
複数の無線通信モードで無線機器と接続可能な電子装置において、
前記複数の無線通信モードのそれぞれについて接続可能な前記無線機器を検索する無線機器検索手段と、
接続可能な前記無線機器の存在が前記無線機器検索手段によって確認された前記無線通信モードを表示する無線通信モード表示手段と、
を備えることを特徴とする電子装置。
【請求項２】
請求項１において、
利用者による操作指示を受け付ける操作手段と、
前記操作手段によって受け付けられた利用者の操作指示に応じて、前記無線通信モード表示手段によって表示された前記無線通信モードの中から一つを選択する無線通信モード選択手段と、
前記無線通信モード選択手段によって選択された前記無線通信モードに対応する前記無線機器との間で無線接続を行う無線接続手段と、
をさらに備えることを特徴とする電子装置。
【請求項３】
請求項１または２において、
前記無線通信モード表示手段は、接続可能な前記無線機器の存在が確認できなかった前記無線通信モードを、存在が確認された前記無線通信モードと識別可能な表示態様で表示することを特徴とする電子装置。
【請求項４】
請求項２において、
前記無線機器検索手段による検索結果を前記複数の無線通信モードのそれぞれに対応づけて記憶する無線機器記憶手段と、
前記無線通信モード選択手段によって選択された前記無線通信モードに対応する接続可能な前記無線機器を前記無線機器記憶手段から読み出して表示する無線機器表示手段と、
をさらに備えることを特徴とする電子装置。
【請求項５】
請求項４において、
前記操作手段によって受け付けられた利用者の操作指示に応じて、前記無線機器表示手段によって表示された前記無線機器の中から一つを選択する無線機器選択手段をさらに備え、
前記無線接続手段は、前記無線機器選択手段によって選択された前記無線機器との間で無線接続を行うことを特徴とする電子装置。
【請求項６】
請求項１〜５のいずれか一項において、
前記無線通信モード毎に最後に接続していた前記無線機器の識別情報を接続履歴として記憶する接続履歴記憶手段と、
電源投入時に、前記接続履歴記憶手段に記憶されている前記接続履歴を読み出し、この接続履歴に含まれる前記無線機器が前記接続履歴とは異なる無線通信モードで前記無線機器検索手段によって検索されたときに所定の警告を出力する警告手段と、
をさらに備えることを特徴とする電子装置。
【請求項７】
請求項２、４、５のいずれか一項において、
前記電源切断直前に接続していた前記無線機器の識別情報およびこの無線機器に対応する前記無線通信モードを接続履歴として記憶する接続履歴記憶手段をさらに備え、
前記無線接続手段は、電源投入時に、前記接続履歴記憶手段に記憶されている前記接続履歴を読み出し、この接続履歴で特定された前記無線通信モードおよび前記無線機器に対応する無線接続が可能な場合に、この無線機器との間で無線接続を行うことを特徴とする電子装置。
【請求項８】
請求項１〜７のいずれか一項において、
前記無線機器検索手段は、前記複数の無線通信モードのそれぞれに対応するプローブリクエストまたまビーコンを連続送信することを特徴とする電子装置。
【請求項９】
請求項１〜５のいずれか一項において、
前記無線機器検索手段は、起動時に前記無線機器の検索を行うことを特徴とする電子装置。
【請求項１０】
請求項１〜５のいずれか一項において、
前記無線機器検索手段は、利用者によって指示されたタイミングで前記無線機器の検索を行うことを特徴とする電子装置。
【請求項１１】
電子装置との間で複数の無線通信モードのいずれかによって接続可能な無線機器を確認する無線機器確認方法であって、
前記複数の無線通信モードのそれぞれについて接続可能な前記無線機器を無線機器検索手段によって検索するステップと、
接続可能な前記無線機器の存在が前記無線機器検索手段によって確認された前記無線通信モードを無線通信モード表示手段によって表示するステップと、
を有することを特徴とする無線機器確認方法。
【発明の詳細な説明】
【技術分野】
【０００１】
本発明は、複数の無線通信モードを有して複数の無線機器と接続可能な電子装置および無線機器確認方法に関する。
【背景技術】
【０００２】
従来から、異なる無線通信モードを有する複数の無線機器に対して選択的に接続するようにした通信装置が知られている（例えば、特許文献１参照。）。この通信装置では、インフラストラクチャ通信とアドホックネットワーク通信の２種類の無線通信モードを有しており、インフラストラクチャ通信が可能なインフラ対向機（アクセスポイント）がある場合には優先的にこの無線通信モードで通信を行うようになっている。
【先行技術文献】
【特許文献】
【０００３】
【特許文献１】特開２０１１−１５２８５号公報
【発明の概要】
【発明が解決しようとする課題】
【０００４】
ところで、特許文献１に開示された通信装置では、複数の無線通信モードのそれぞれに対応する無線機器が存在する場合に、優先順位が高い無線機器との間で優先的に接続を行うことができるが、実際にいずれかの無線機器との間で通信を開始する前に、事前に実際に接続可能な無線機器が存在する無線通信モードを確認することはできなかった。例えば、上述した通信装置では、事前に接続可能な無線機器に対応してインフラストラクチャ通信とアドホックネットワーク通信の２種類の無線通信モードが存在することを利用者が確認することができなかった。したがって、これらの無線通信モードが有効であることを確認した後にアドホックネットワーク通信用の無線通信モードを利用者自身が選択し、さらにこの無線通信モードに対応する無線機器を選択することもできなかった。
【０００５】
本発明は、このような点に鑑みて創作されたものであり、その目的は、実際に接続可能な無線機器に対応する複数の無線通信モードを確認することができ、その中から任意の無線通信モードを選択することができる電子装置および無線機器確認方法を提供することにある。
【課題を解決するための手段】
【０００６】
上述した課題を解決するために、本発明の電子装置は、複数の無線通信モードで無線機器と接続可能な電子装置において、複数の無線通信モードのそれぞれについて接続可能な無線機器を検索する無線機器検索手段と、接続可能な無線機器の存在が無線機器検索手段によって確認された無線通信モードを表示する無線通信モード表示手段とを備えている。
【０００７】
また、本発明の無線機器確認方法は、電子装置との間で複数の無線通信モードのいずれかによって接続可能な無線機器を確認する無線機器確認方法であって、複数の無線通信モードのそれぞれについて接続可能な無線機器を無線機器検索手段によって検索するステップと、接続可能な無線機器の存在が無線機器検索手段によって確認された無線通信モードを無線通信モード表示手段によって表示するステップとを有している。
【０００８】
これにより、実際に接続可能な無線機器が存在することを確認することができた無線通信モードが複数ある場合に、これら複数の無線通信モードが表示されるため、利用者はこの表示内容を見ることでこれら複数の無線通信モードを確認することが可能となる。
【０００９】
また、利用者による操作指示を受け付ける操作手段と、操作手段によって受け付けられた利用者の操作指示に応じて、無線通信モード表示手段によって表示された無線通信モードの中から一つを選択する無線通信モード選択手段と、無線通信モード選択手段によって選択された無線通信モードに対応する無線機器との間で無線接続を行う無線接続手段とをさらに備えることが望ましい。これにより、実際に接続可能な無線機器が存在することが確認できた複数の無線通信モードの中から利用者が任意に選択することが可能となる。
【００１０】
また、上述した無線通信モード表示手段は、接続可能な無線機器の存在が確認できなかった無線通信モードを、存在が確認された無線通信モードと識別可能な表示態様で表示することが望ましい。これにより、実際に接続可能な無線機器が存在しない無線通信モードを誤って選択して、この選択をやり直す手間をなくすることができる。
【００１１】
また、上述した無線機器検索手段による検索結果を複数の無線通信モードのそれぞれに対応づけて記憶する無線機器記憶手段と、無線通信モード選択手段によって選択された無線通信モードに対応する接続可能な無線機器を無線機器記憶手段から読み出して表示する無線機器表示手段とをさらに備えることが望ましい。これにより、無線通信モードを選択した後にこの無線通信モードを用いて接続可能な無線機器を確認する時間を短縮することができる。
【００１２】
また、上述した操作手段によって受け付けられた利用者の操作指示に応じて、無線機器表示手段によって表示された無線機器の中から一つを選択する無線機器選択手段をさらに備え、無線接続手段は、無線機器選択手段によって選択された無線機器との間で無線接続を行うことが望ましい。接続可能な無線機器の確認が事前に済んでいるため、無線通信モードを指定して無線機器に接続した際の無線機器の動作開始までの時間を短縮することができる。
【００１３】
また、上述した無線通信モード毎に最後に接続していた無線機器の識別情報を接続履歴として記憶する接続履歴記憶手段と、電源投入時に、接続履歴記憶手段に記憶されている接続履歴を読み出し、この接続履歴に含まれる無線機器が接続履歴とは異なる無線通信モードで無線機器検索手段によって検索されたときに所定の警告を出力する警告手段とをさらに備えることが望ましい。これにより、通常使用している無線機器の電源入れ忘れなどの使用環境の変化を利用者に通知することができ、うっかりミスに対して事前に対処することが可能となる。
【００１４】
また、上述した電源切断直前に接続していた無線機器の識別情報およびこの無線機器に対応する無線通信モードを接続履歴として記憶する接続履歴記憶手段をさらに備え、無線接続手段は、電源投入時に、接続履歴記憶手段に記憶されている接続履歴を読み出し、この接続履歴で特定された無線通信モードおよび無線機器に対応する無線接続が可能な場合に、この無線機器との間で無線接続を行うことが望ましい。これにより、複数の無線通信モードのそれぞれについて実際に接続された無線機器を確認した結果、前回接続した無線機器が今回も接続されている場合に、この無線機器を接続して動作を継続することが可能となる。
【００１５】
また、上述した無線機器検索手段は、複数の無線通信モードのそれぞれに対応するプローブリクエストまたまビーコンを連続送信することが望ましい。これにより、複数の無線通信モードのそれぞれを個別に選択して無線機器の有無を確認する場合に比べて、手間の低減および時間の短縮が可能となる。
【００１６】
また、上述した無線機器検索手段は、起動時に無線機器の検索を行うことが望ましい。これにより、利用者は、起動時に特別な操作を行うことなく、利用可能な無線機器に対応する無線通信モードの確認や選択を行うことが可能となる。
【００１７】
また、上述した無線機器検索手段は、利用者によって指示されたタイミングで無線機器の検索を行うことが望ましい。これにより、利用者は、無線機器の使用環境が変化した場合などに、煩雑な操作を行うことなく、利用可能な無線機器に対応する無線通信モードの確認や選択を行うことが可能となる。
【図面の簡単な説明】
【００１８】
【図１】一実施形態の車載装置の構成を示す図である。
【図２】車載装置と無線接続される無線機器の具体例を示す図である。
【図３】電源投入直後に３つの無線通信モードのそれぞれを用いて接続可能な無線機器の有無を調べて各無線通信モードの有効／無効を利用者に通知する動作手順を示す流れ図である。
【図４】プローブリクエストおよびビーコンの送信手順を示す図である。
【図５】無線通信モード表示の表示例を示す図である。
【図６】変形例１に対応する接続履歴を記憶するために必要な追加動作手順を示す部分的な流れ図である。
【図７】無線通信モード毎に実際に接続された無線機器を記憶した内容を示す図である。
【図８】変形例１に対応して警告を出力するために必要な追加動作手順を示す部分的な流れ図である。
【図９】警告の一例を示す図である。
【図１０】変形例２に対応する接続履歴を記憶するために必要な追加動作手順を示す部分的な流れ図である。
【図１１】変形例２に対応して次回の電源投入時に自動的に無線機器接続を行うために必要な追加動作手順を示す部分的な流れ図である。
【発明を実施するための形態】
【００１９】
以下、本発明の電子装置を適用した一実施形態の車載装置について、図面を参照しながら説明する。図１は、一実施形態の車載装置の構成を示す図である。図１に示すように、車載装置１は、操作部１０、タッチパネル１２、入力制御部１４、表示処理部２０、表示装置２２、デジタル−アナログ変換器（Ｄ／Ａ）３０、スピーカ３２、制御部５０、ハードディスク装置（ＨＤＤ）７０、無線ＬＡＮ（Local Area Network）インタフェース部（Ｉ／Ｆ）８０を備えている。
【００２０】
操作部１０は、車載装置１に対する利用者による操作を受け付けるためのものであり、表示装置２２の周囲に配置された各種の操作キー、操作スイッチ、操作つまみ等を含んで構成されている。また、表示装置２２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネル１２が備わっている。なお、タッチパネルを用いる代わりに、リモートコントロールユニット等を用いて操作画面や入力画面の一部を利用者の指示に応じて選択するようにしてもよい。入力制御部１４は、操作部１０やタッチパネル１２を監視しており、それらの操作内容を決定する。
【００２１】
表示処理部２０は、各種の操作画面や入力画面等を表示する映像信号を出力して表示装置２２にこれらの画面を表示するとともに、インターネット画面や動画に対応する映像画面等を表示する映像信号を出力して表示装置２２にこれらの画面を表示する。表示装置２２は、運転席と助手席の中央前方に設置されており、例えば液晶表示装置（ＬＣＤ）を用いて構成されている。
【００２２】
デジタル−アナログ変換器３０は、動画再生や音楽再生に伴って生成される音声データや音楽データをアナログの音声信号に変換してスピーカ３２から出力する。なお、実際には、デジタル−アナログ変換器３０とスピーカ３２の間には信号を増幅する増幅器が接続されているが、図１ではこの増幅器は省略されている。また、デジタル−アナログ変換器３０とスピーカ３２との組合せは再生チャンネル数分備わっているが、図１では一組のみが図示されている。
【００２３】
制御部５０は、車載装置１の全体を制御するとともに、インターネット接続やメール送受信および動画再生などの各種処理を行うためのものであり、ＲＯＭやＲＡＭなどに格納された所定のプログラムをＣＰＵで実行することにより実現される。
【００２４】
無線ＬＡＮインタフェース部８０は、所定の無線周波数帯域を利用して外部の無線機器とＬＡＮ接続するのため通信装置である。例えば、本実施形態では、ＡＰ（Access Point）モード、Ｄｉｒｅｃｔモード、ＳＴＡ（Station）モードの３種類の無線通信モードがサポートされているものとする。
【００２５】
また、上述した制御部５０は、インターネット処理部５１、メール処理部５２、動画処理部５３、ＳＴＡモード処理部５４、Ｄｉｒｅｃｔモード処理部５５、ＡＰモード処理部５６、無線機器検索部６１、無線通信モード表示処理部６２、無線通信モード選択部６３、無線機器記憶部６４、無線機器表示処理部６５、無線機器選択部６６、接続履歴記憶部６７、警告部６８を有する。
【００２６】
インターネット処理部５１は、ウェブブラウザの機能を有し、上述したＳＴＡモードを用いて無線ＬＡＮインタフェース部８０を介してインターネット接続を行い、各種のサーバとの間でデータの送受信を行う。メール処理部５２は、メールを作成したり、上述したＳＴＡモードを用いて無線ＬＡＮインタフェース部８０を介してメールサーバに接続してメールを送受信する処理を行う。動画処理部５３は、例えばハードディスク装置７０に格納されている動画データを読み出して動作の再生動作を行う。動画再生によって映像信号および音声信号が生成され、これらは表示処理部２０を介して表示装置２２に表示されるとともにデジタル−アナログ変換器３０を介してスピーカ３２から出力される。あるいは、これらの映像信号や音声信号は、上述したＤｉｒｅｃｔモードを用いて無線ＬＡＮインタフェース部８０を介して外部の携帯端末装置に向けて送信することもできる。
【００２７】
ＳＴＡモード処理部５４は、ＳＴＡモードの接続処理を行う。ＳＴＡモードは、例えばテザリング（Tethering）あるいはモバイルルータ（Mobile Router）のサービスを提供するための無線通信規格である。このＳＴＡモードを用いることにより、外部の無線ＬＡＮルータを介してインターネット接続を行ったり、メールを送受信することが可能となる。
【００２８】
Ｄｉｒｅｃｔモード処理部５５は、Ｄｉｒｅｃｔモードの処理を行う。Ｄｉｒｅｃｔモードは、例えばミラーリンク（MirrorLink）あるいはミラキャスト（Miracast）のサービスを提供するための無線通信規格である。このＤｉｒｅｃｔモードを用いることにより、アクセスポイントを介さずに、動作処理部５３が生成した映像信号や音声信号を外部の携帯端末装置に向けて送信することが可能となる。
【００２９】
ＡＰモード処理部５６は、ＡＰモードの接続処理を行う。ＡＰモードは、例えばiOS in the Carのサービスを提供するための無線通信規格である。このＡＰモードを用いることにより、車載装置１の操作部１０およびタッチパネル１２を用いて携帯端末装置に対して操作指示を行ったり、携帯端末装置に表示される画像を車載装置１の表示装置２２に表示させることが可能となる。
【００３０】
無線機器検索部６１は、３つの無線通信モード（ＡＰモード、Ｄｉｒｅｃｔモード、ＳＴＡモード）のそれぞれについて接続可能な無線機器を検索する。
【００３１】
無線通信モード表示処理部６２は、接続可能な無線機器の存在が無線機器検索部６１によって確認された無線通信モードを、表示処理部２０を介して表示装置２２に表示する。
【００３２】
無線通信モード選択部６３は、操作部１０やタッチパネル１２によって受け付けられた利用者の操作指示に応じて、無線通信モード表示処理部６２によって表示装置２２に表示された無線通信モードの中から一つを選択する。
【００３３】
無線機器記憶部６４は、無線機器検索部６１による検索結果を複数の無線通信モードのそれぞれに対応づけて記憶する。
【００３４】
無線機器表示処理部６５は、無線通信モード選択部６３によって選択された無線通信モードに対応する接続可能な無線機器を無線機器記憶部６４から読み出して、表示処理部２０を介して表示装置２２に表示する。表示形式は、検出された無線機器が特定可能であればどのような態様であってもよい。
【００３５】
無線機器選択部６６は、操作部１０やタッチパネル１２によって受け付けられた利用者の操作指示に応じて、無線機器表示処理部６５によって表示された無線機器の中から一つを選択する。
【００３６】
接続履歴記憶部６７は、無線通信モード毎に最後に接続していた無線機器の識別情報を接続履歴Ａとして記憶する。また、接続履歴記憶部６７は、電源切断直前に接続していた無線機器の識別情報およびこの無線機器に対応する無線通信モードを接続履歴Ｂとして記憶する。
【００３７】
警告部６８は、電源投入時に、接続履歴記憶部６７に記憶されている接続履歴を読み出し、この接続履歴に含まれる無線機器が接続履歴とは異なる無線通信モードで無線機器検索部６１によって検索されたときに所定の警告を出力する。
【００３８】
上述した無線機器検索部６１が無線機器検索手段に、無線通信モード表示処理部６２、表示処理部２０、表示装置２２が無線通信モード表示手段に、操作部１０、タッチパネル１２が操作手段に、無線通信モード選択部６３が無線通信モード選択手段に、ＳＴＡモード処理部５４、Ｄｉｒｅｃｔモード処理部５５、ＡＰモード処理部５６、無線ＬＡＮインタフェース部８０が無線接続手段に、無線機器記憶部６４が無線機器記憶手段にそれぞれ対応する。また、上述した無線機器表示処理部６５、表示処理部２０、表示装置２２が無線機器表示手段に、無線機器選択部６６が無線機器選択手段に、接続履歴記憶部６７が接続履歴記憶手段に、警告部６８、表示処理部２０、表示装置２２が警告手段にそれぞれ対応する。
【００３９】
本実施形態の車載装置１はこのような構成を有しており、次にその動作を説明する。図２は、車載装置１と無線接続される無線機器の具体例を示す図である。本実施形態では、３つの無線通信モードのそれぞれに対応して接続可能な無線機器が想定されている。図２に示す例では、モバイルルータ２、携帯端末装置３、４がこれらの無線機器に対応する。
【００４０】
モバイルルータ２は、車載装置１とＳＴＡモードで接続可能であり、ルータの機能を有するアクセスポイントとして動作し、車載装置１とインターネットとを相互に接続する。携帯端末装置３は、オペレーティングシステムとしてＡｎｄｒｏｉｄ（アンドロイド、登録商標）を用いた端末（Ａｎｄｒｏｉｄ端末）であって、車載装置１とＤｉｒｅｃｔモードで接続可能であり、車載装置１から送られてくる映像信号や音声信号を出力する。携帯端末装置４は、オペレーティングシステムとしてｉＯＳ（アイオーエス、登録商標）を用いたｉＰｈｏｎｅ（アイフォーン、登録商標）と称される端末であって、車載装置１とＡＰモードを用いて接続可能であり、車載装置１の操作部１０、タッチパネル１２や表示装置２２を用いた各種の指示や表示が可能となる。例えば、携帯端末装置４の地図アプリを実行してナビゲーション動作を行うとともに、このナビゲーション動作に対する利用者の指示を車載装置１の操作部１０を用いて行ったり、ナビゲーション動作で生成された自車位置周辺の地図画像を車載装置１の表示装置２２に表示したりすることが可能となる。
【００４１】
なお、図２では、３つの無線通信モードのそれぞれに対応する無線機器が１台ずつ存在する場合について説明したが、１台も存在しない場合や、１つの無線通信モードに対応して２台以上の無線機器が存在する場合もある。
【００４２】
図３は、電源投入直後に３つの無線通信モードのそれぞれを用いて接続可能な無線機器の有無を調べて各無線通信モードの有効／無効を利用者に通知する動作手順を示す流れ図である。
【００４３】
アクセサリースイッチ（図示せず）がオンされて車載装置１に電源が投入されると、無線機器検索部６１は、３つの無線通信モードのそれぞれについて接続可能な無線機器の検索を開始する。具体的には、まず、無線機器検索部６１からＳＴＡモード処理部５４に指示を送り、ＳＴＡモード処理部５４は、無線ＬＡＮインタフェース部８０からプローブリクエスト（Ａ）を送信する（ステップ１００）。同様に、無線機器検索部６１からＤｉｒｅｃｔモード処理部５５に指示を送り、Ｄｉｒｅｃｔモード処理部５５は、無線ＬＡＮインタフェース部８０からプローブリクエスト（Ｂ）を送信する（ステップ１０２）。また、無線機器検索部６１からＡＰモード処理部５６に指示を送り、ＡＰモード処理部５５は、無線ＬＡＮインタフェース部８０からビーコンを送信する（ステップ１０４）。
【００４４】
図４は、プローブリクエストおよびビーコンの送信手順を示す図である。なお、これらのプローブリクエストおよびビーコンの送信順番は変更可能であり、どのような順番であってもよい。
【００４５】
次に、無線機器検索部６１は、ＳＴＡモード処理部５４によって送信したプローブリクエストに対して応答（レスポンス）があったか否かを判定する（ステップ１０６）。応答があった場合には肯定判断が行われ、無線機器記憶部６４は、応答に含まれる無線機器特定のための識別情報（例えば、ＭＡＣアドレス）と無線通信モードとを対応付けた無線機器情報を記憶する（ステップ１０８）。
【００４６】
その後、あるいは、ＳＴＡモード処理部５４によって送信したプローブリクエストに対して応答がなかった場合にはステップ１０６の判定において否定判断が行われた後、無線機器検索部６１は、Ｄｉｒｅｃｔモード処理部５５によって送信したプローブリクエストに対して応答（レスポンス）があったか否かを判定する（ステップ１１０）。応答があった場合には肯定判断が行われ、無線機器記憶部６４は、応答に含まれる無線機器特定のための識別情報（例えば、ＭＡＣアドレス）と無線通信モードとを対応付けた無線機器情報を記憶する（ステップ１１２）。
【００４７】
その後、あるいは、Ｄｉｒｅｃｔモード処理部５５によって送信したプローブリクエストに対して応答がなかった場合にはステップ１１０の判定において否定判断が行われた後、無線機器検索部６１は、ＡＰモード処理部５６によって送信したビーコンに対して応答（レスポンス）があったか否かを判定する（ステップ１１１４）。応答があった場合には肯定判断が行われ、無線機器記憶部６４は、応答に含まれる無線機器特定のための識別情報（例えば、ＭＡＣアドレス）と無線通信モードとを対応付けた無線機器情報を記憶する（ステップ１１６）。このようにして、３つの無線通信モードのそれぞれについて接続可能な無線機器の検索が終了し、その結果が無線機器記憶部６４によって記憶される。
【００４８】
次に、無線通信モード表示処理部６２は、接続可能な無線機器の有無がわかるように、３つの無線通信モードのいずれかを選択するため無線通信モード表示を行う（ステップ１１８）。
【００４９】
図５は、無線通信モード表示の表示例を示す図である。図５に示す表示例には、３つの無線通信モードのそれぞれに対応する３つのボタンが含まれる。「ｉＯＳ」ボタンがＡＰモードに、「Ｍｉｒｒｏｒ  Ｌｉｎｋ」ボタンがＤｉｒｅｃｔモードに、「Ｔｅｔｈｒｉｎｇ」ボタンがＳＴＡモードに対応している。また、図５に示す表示例では、Ｄｉｒｅｃｔモードに対応する無線機器が存在しなかった場合が示されており、無線機器が存在した「ｉＯＳ」ボタン、「Ｔｅｔｈｒｉｎｇ」ボタンと、無線機器が存在しなかった「Ｍｉｒｒｏｒ  Ｌｉｎｋ」ボタンとが互いに識別可能な状態で表示される。例えば、「Ｍｉｒｒｏｒ  Ｌｉｎｋ」ボタンがグレー表示され、他のボタンが緑色に着色されている。利用者は、各ボタンの表示態様の違いに基づいて、「Ｍｉｒｒｏｒ  Ｌｉｎｋ」ボタン（Ｄｉｒｅｃｔモード）に対応する無線機器が存在しないことを知ることができる。
【００５０】
次に、無線通信モード選択部６３は、対応する無線機器が存在した「ｉＯＳ」ボタン、「Ｔｅｔｈｒｉｎｇ」ボタンのいずれかが選択されたか否かを判定する（ステップ１２０）。選択されない場合には否定判断が行われ、ステップ１１８に戻って無線通信モード表示が繰り返される。
【００５１】
また、操作部１０あるいはタッチパネル１２を用いて「ｉＯＳ」ボタン、「Ｔｅｔｈｒｉｎｇ」ボタンのいずれかが選択されると、ステップ１２０の判定において肯定判断が行われる。次に、無線機器表示処理部６５は、選択されたボタンの無線通信モードに対応する無線機器を無線機器記憶部６４から読み出し、この無線通信モードにおいて接続可能な１つあるいは複数の無線機器を表示する（ステップ１２２）。例えば、無線機器毎に割り当てられた符号と無線機器毎の識別情報（例えば、ＭＡＣアドレス）が一覧形式で表示される。
【００５２】
次に、無線機器選択部６６は、符号と識別情報が対応付けられた各無線機器の中のいずれかが選択された否かを判定する（ステップ１２４）。選択されない場合には否定判断が行われ、ステップ１２２に戻って無線機器の表示が繰り返される。また、操作部１０あるいはタッチパネル１２を用いて、いずれかの無線機器が選択されると、ステップ１２４の判定において肯定判断が行われる。次に、無線機器選択部６６は、選択された無線機器の無線通信モードに対応するＳＴＡモード処理部５４、Ｄｉｒｅｃｔモード処理部５５、ＡＰモード処理部５６のいずれかに指示を送り、選択された無線機器との間で無線接続が行われる（ステップ１２６）。
【００５３】
なお、実際に無線機器と接続するためには、それ以前にパスワード等の接続情報の入力を行う必要があるが、各無線機器についての接続情報の入力は既に終了しているものとする。すなわち、図３に示す動作手順を実施する前に、一度接続情報の入力を済ませておく必要がある。
【００５４】
このように、本実施形態の車載装置１では、実際に接続可能な無線機器が存在することを確認することができた無線通信モードが複数ある場合に、これら複数の無線通信モードが表示されるため（図５）、利用者はこの表示内容を見ることでこれら複数の無線通信モードを確認することが可能となる。また、利用者は、実際に接続可能な無線機器が存在することが確認できた複数の無線通信モードの中から任意に選択することが可能となる。
【００５５】
また、接続可能な無線機器の存在が確認できなかった無線通信モードを、存在が確認された無線通信モードと識別可能な表示態様で表示することにより（図５）、実際に接続可能な無線機器が存在しない無線通信モードを誤って選択して、この選択をやり直す手間をなくすることができる。
【００５６】
また、無線通信モード毎に接続可能な無線機器の有無を調べた際に、無線機器記憶部６４は、接続可能な無線機器を無線通信モードに対応付けて記憶しているため、無線通信モードを選択した後にこの無線通信モードを用いて接続可能な無線機器を確認する時間を短縮することができる。また、複数の無線通信モードのそれぞれについて接続可能な無線機器を検索する時点で、接続可能な無線機器の確認が済んでいるため、無線通信モードを指定して無線機器に接続した際の無線機器の動作開始までの時間を短縮することができる。
【００５７】
（変形例１）
無線通信モード毎に最後に接続していた無線機器の識別情報（例えば、ＭＡＣアドレス）を接続履歴として記憶するとともに、次の電源投入時に、この記憶した接続履歴を読み出し、この接続履歴に含まれる無線機器が接続履歴とは異なる無線通信モードが組み合わされて無線機器検索部６１によって検索されたときに所定の警告を出力するようにしてもよい。
【００５８】
図６は、変形例１に対応する接続履歴を記憶するために必要な追加動作手順を示す部分的な流れ図である。図６に示す動作手順は、図３に示した動作手順に含まれるステップ１２６の次に、実際に接続された無線機器を無線通信モード毎に接続履歴として記憶するステップ１２８の動作手順が追加されている。ステップ１２６において実際に無線機器が接続されると、この無線機器について接続履歴の内容が更新される。
【００５９】
図７は、無線通信モード毎に実際に接続された無線機器を記憶した内容を示す図である。図７において、「ラストモード」は３つの無線通信モードを示しており、「MirrorLink」がＤｉｒｅｃｔモードに、「iOS in the Car」がＡＰモードに、「Tethering」がＳＴＡモードにそれぞれ対応する。これら３つの無線通信モードのそれぞれについて、最後に接続された無線機器が記憶されている。
【００６０】
図８は、変形例１に対応して警告を出力するために必要な追加動作手順を示す部分的な流れ図である。図８に示す動作手順は、図３に示した動作手順に含まれるステップ１１４とステップ１１８の間に、所定の条件下で警告を出力するステップ２００の動作手順が追加されている。ステップ２００では、今回の無線機器検索の結果、それ以前に記憶された接続履歴（図７）に含まれる無線機器がこの接続履歴とは異なる無線通信モードが組み合わさて検索された場合に所定の警告が出力される。例えば、図７に示すように、「MirrorLink」（Ｄｉｒｅｃｔモード）に対応してＭＡＣアドレス「12:34:56:78:9a:bc」が記憶されているときに、今回の無線機器検索の結果、Ｄｉｒｅｃｔモードに対応して「12:34:56:78:9a:bc」以外のＭＡＣアドレスを有する携帯端末装置が接続可能な無線機器として検索された場合には所定の警告が出力される。図９は、警告の一例を示す図である。図９に示す例では、画面の一部に「MirrorLinkが有効になっていません。」のメッセージを表示することにより警告が行われる。
【００６１】
この変形例１では、通常使用している無線機器の電源入れ忘れなどの使用環境の変化を利用者に通知することができ、うっかりミスに対して事前に対処することが可能となる。
【００６２】
（変形例２）
前回、電源切断直前に接続していた無線機器の識別情報（例えば、ＭＡＣアドレス）およびこの無線機器に対応する無線通信モードを接続履歴として記憶するとともに、次回の電源投入時に、この記憶した接続履歴を読み出し、この接続履歴で特定された無線通信モードおよび無線機器で接続が可能な場合に、この無線機器との間で無線接続を行うようにしてもよい。
【００６３】
図１０は、変形例２に対応する接続履歴を記憶するために必要な追加動作手順を示す部分的な流れ図である。図１０に示す動作手順は、図３に示した動作手順に含まれるステップ１２６の次に、実際に接続された無線機器を無線通信モードとともに接続履歴として記憶するステップ１２８Ａの動作手順が追加されている。ステップ１２６において実際に無線機器が接続されると、この無線機器と無線通信モードの組合せに関する情報のみが接続履歴として記憶される。
【００６４】
図１１は、変形例２に対応して次回の電源投入時に自動的に無線機器接続を行うために必要な追加動作手順を示す部分的な流れ図である。図１１に示す動作手順は、図３に示した動作手順に含まれるステップ１１４とステップ１１８の間に、記憶した接続履歴と同じ接続が可能か否かを判定するステップ２１０の動作手順が追加されている。接続が可能な場合（前回、電源切断直前に接続していた無線機器が、同じ無線通信モードで接続可能な無線機器として今回検出された場合）には肯定判断が行われ、ステップ１２６に移行して直ちにこの無線機器に接続される。一方、記憶した接続履歴と同じ接続が不可能な場合にはステップ２１０の判定において否定判断が行われる。この場合には、ステップ１１８に移行して、図５に表示例を示した無線通信モード表示以降の動作が実施される。
【００６５】
この変形例２では、複数の無線通信モードのそれぞれについて実際に接続された無線機器を確認した結果、前回接続した無線機器が今回も接続されている場合に、この無線機器を接続してそれ以後の動作を継続することが可能となる。
【００６６】
なお、本発明は上記実施形態に限定されるものではなく、本発明の要旨の範囲内において種々の変形実施が可能である。上述した実施形態では、各無線通信モード毎に接続可能な無線機器の検索（図３）を電源投入直後に実施したが、この検索を、操作部１０やタッチパネル１２を用いて利用者によって指示された任意のタイミングで行うようにしてもよい。これにより、利用者は、無線機器の使用環境が変化した場合などに、煩雑な操作を行うことなく、利用可能な無線機器に対応する無線通信モードの確認や選択を行うことが可能となる。
【産業上の利用可能性】
【００６７】
上述したように、本発明によれば、実際に接続可能な無線機器が存在することを確認することができた無線通信モードが複数ある場合に、これら複数の無線通信モードが表示されるため、利用者はこの表示内容を見ることでこれら複数の無線通信モードを確認することが可能となる。
【符号の説明】
【００６８】
１  車載装置
１０  操作部
１２  タッチパネル
２２  表示装置
５０  制御部
５４  ＳＴＡモード処理部
５５  Ｄｉｒｅｃｔモード処理部
５６  ＡＰモード処理部
６１  無線機器検索部
６２  無線通信モード表示処理部
６３  無線通信モード選択部
６４  無線機器記憶部
６５  無線機器表示処理部
６６  無線機器選択部
６７  接続履歴記憶部
６８  警告部
８０  無線ＬＡＮインタフェース部（Ｉ／Ｆ）
【図１】
2015126450.tif 000003
【図２】
2015126450.tif 000004
【図３】
2015126450.tif 000005
【図４】
2015126450.tif 000006
【図５】
2015126450.tif 000007
【図６】
2015126450.tif 000008
【図７】
2015126450.tif 000009
【図８】
2015126450.tif 000010
【図９】
2015126450.tif 000011
【図１０】
2015126450.tif 000012
【図１１】
2015126450.tif 000013